(57)【要約】  少なくとも１つの例の実施形態は、異種ネットワーク内でサービング基地局からターゲット基地局へのユーザ機器（ＵＥ）のハンドオーバを制御する方法を開示する。この方法は、サービング基地局によって、ＵＥの速さおよびハンドオーバのタイプを判定するステップであって、ハンドオーバのタイプは、マクロ・セルからマクロ・セル、マクロ・セルから小セル、小セルからマクロ・セル、および小セルから小セルのうちの１つである、ステップと、サービング基地局によって、ＵＥの速さおよびハンドオーバのタイプに基づいて、サービング基地局からターゲット基地局へのハンドオーバを制御するステップとを含む。
2014525199.tif 000002
【特許請求の範囲】
【請求項１】
異種ネットワーク内でサービング基地局からターゲット基地局へのユーザ機器（ＵＥ）のハンドオーバを制御する方法であって、
サービング基地局によって、前記ＵＥの速さおよび前記ハンドオーバのタイプを判定するステップ（Ｓ４０５）であって、前記ハンドオーバの前記タイプは、マクロ・セルからマクロ・セル、マクロ・セルから小セル、小セルからマクロ・セル、および小セルから小セルのうちの１つである、ステップと、
前記サービング基地局によって、前記ＵＥの前記速さおよび前記ハンドオーバの前記タイプに基づいて、前記サービング基地局から前記ターゲット基地局への前記ハンドオーバを制御するステップ（Ｓ４１０）と
を含む方法。
【請求項２】
制御する前記ステップ（Ｓ４１０）は、前記ＵＥの前記速さを低速、中速、および高速のうちの１つに分類するステップ（Ｓ４１５）を含む、請求項１に記載の方法。
【請求項３】
制御する前記ステップ（Ｓ４１０）は、前記ＵＥの前記速さが前記高速である場合に小セルへの前記ハンドオーバを防ぐステップであって、前記ターゲット基地局は前記小セルのために働く、ステップを含む、請求項２に記載の方法。
【請求項４】
制御する前記ステップ（Ｓ４１０）は、前記ターゲット基地局のalmost blank sub-frame（ＡＢＳ）での送信のために前記ＵＥをスケジューリングするステップを含む、請求項３に記載の方法。
【請求項５】
制御する前記ステップ（Ｓ４１０）は、
前記ＵＥの前記速さに基づいてハンドオーバしきい値を変更するステップ（Ｓ４２０）と、
前記ハンドオーバしきい値が前記ＵＥでの前記ターゲット基地局と前記サービング基地局とのreference signal received power（ＲＳＲＰ）の間の差を超える場合に、前記ＵＥをハンドオーバするステップとを含む、請求項１に記載の方法。
【請求項６】
制御する前記ステップ（Ｓ４１０）は、前記ＵＥの前記速さに基づいてレイヤ３フィルタ「Ｋ」値を調整するステップ（Ｓ４３０）を含む、請求項１に記載の方法。
【請求項７】
前記ＵＥの方向を判定するステップをさらに含み、
制御する前記ステップは、
前記サービング基地局によって、前記ＵＥの速度に基づいて前記サービング基地局から前記ターゲット基地局への前記ハンドオーバを制御するステップであって、前記速度は、前記ＵＥの前記速さおよび方向である、ステップを含む、請求項１に記載の方法。
【請求項８】
制御する前記ステップ（Ｓ４１０）は、前記ＵＥの前記速さを、低速、中速、および高速のうちの１つに分類するステップを含む、請求項７に記載の方法。
【請求項９】
制御する前記ステップ（Ｓ４１０）は、前記ＵＥの前記速さに基づいてハンドオーバしきい値を変更するステップであって、前記ハンドオーバしきい値は、前記ターゲット基地局に関連するセルのセル固有オフセット、イベントのヒステリシス・パラメータ、および前記イベントのシステム全体の共通オフセット・パラメータのうちの１つである、ステップをさらに含む、請求項１に記載の方法。
【請求項１０】
制御する前記ステップは、前記ハンドオーバの前記タイプに基づいてtime-to-trigger（ＴＴＴ）ハンドオーバ期間を調整するステップを含む、請求項１に記載の方法。
【発明の詳細な説明】
【技術分野】
【０００１】
優先権の記載
本願は、参照によってその全内容が本明細書に組み込まれている、２０１１年７月２１日に出願した米国特許仮出願第６１／５１０２５３号の利益を主張するものである。
【背景技術】
【０００２】
無線産業は、データおよびサービス・トラフィックの増加する成長を経験しつつある。スマート・ホンおよびデータ・デバイスは、無線ネットワークにますます多くを要求しつつある。人口密度の高い区域でトラフィックをオフロードし、屋内カバレージを高めるために、小セル（たとえば、ピコ・セル）が、実現可能な解決策になってきた。すなわち、異種ネットワーク（ＨｅｔＮｅｔ）が、現在展開されつつあり、この異種ネットワークでは、より小さいフットプリント・サイズのセルが、主にデータ・トラフィック集中のターゲットにされたエリア内で高められた容量を提供するために、より大きいマクロ・セルのカバレージ・エリア内に組み込まれ、またはより大きいマクロ・セルによって少なくとも部分的にオーバーラップされる。そのような異種ネットワークは、無線ネットワークの全体的な容量を効率的に増やすために、ユーザ（およびトラフィック）分布の空間変動を活用することを試みる。これらのより小さいサイズのセルは、通常、より大きくより従来のマクロ・セルに対して、小セルと呼ばれる。
【０００３】
Long Term Evolution（ＬＴＥ）では、ハンドオーバ（ＨＯ）は、あるマクロ・セルから別のマクロ・セルへ移動するＵＥのために最適化される。
【０００４】
既存のＬＴＥ  ＨＯは、主に、その内容全体が参照によって本明細書に組み込まれている３ＧＰＰ  ＴＳ  ３６．３３１標準規格のイベントＡ３に基づく。受信信号強度（ＲＳＲＰ）が、ｅＮｏｄｅＢ（enhanced NodeB）がＨＯ判断を行うためのメトリックとして使用される。現在のマクロ・セルラ・ネットワーク内のＨＯパラメータは、マクロからマクロへのＨＯのためのものである。マクロ・セルは、送信電力およびカバレージ・エリアなど、多数の同一のパラメータを有する。
【０００５】
たとえば、マクロ−マクロＨＯについて、晩期ＨＯ開始が、ピンポン現象すなわち複数の不必要なＨＯを減らすのに使用される。
【先行技術文献】
【非特許文献】
【０００６】
【非特許文献１】３ＧＰＰ  ＴＳ  ３６．３３１標準規格
【非特許文献２】ＴＳ  ３６．３００
【発明の概要】
【課題を解決するための手段】
【０００７】
本発明人は、小セルが、マクロ・セルの上に同一チャネル展開でオーバーレイされる時に、ハンドオーバ・パラメータおよびハンドオーバ手順を、小セルの無線周波数特性を考慮して調整しなければならないことを発見した。同一チャネル小セルが、より少ない送信電力を用い、したがってより小さいカバレージ・エリアを有して展開される時に、複数の課題が、モビリティ性能に関して提示される。その結果、例の実施形態は、小セルの無線周波数特性を考慮に入れるためのハンドオーバ・パラメータおよびハンドオーバ手順の調整を開示する。いくつかの例の実施形態では、ハンドオーバ・パラメータは、ユーザ機器の速さに基づいて調整される。いくつかの他の例の実施形態では、ハンドオーバ・パラメータは、マクロから小へのハンドオーバ、小からマクロへのハンドオーバ、マクロからマクロへのハンドオーバ、および小から小ヘのハンドオーバを含むハンドオーバ・シナリオに基づいて調整されまたは事前に構成される。
【０００８】
同一チャネル・オーバーレイでのハンドオーバ性能に影響する要因は、同一チャネル干渉である。同一チャネル干渉は、従来のマクロ・ネットワークよりも、ＨｅｔＮｅｔにおいて非常に深刻である。たとえば、小セル送信アンテナの周囲の通常のカバレージ・エリア内で、小セルからの干渉は、マクロ・リンクについて強い。したがって、小セル・カバレージの内部の深いところでのマクロ無線リンク障害の可能性が高い。
【０００９】
例の実施形態は、異種ネットワーク内でサービング基地局からターゲット基地局へのユーザ機器（ＵＥ）のハンドオーバを制御する方法を開示する。この方法は、サービング基地局によって、ＵＥの速さおよびハンドオーバのタイプを判定するステップであって、ハンドオーバのタイプは、マクロ・セルからマクロ・セル、マクロ・セルから小セル、小セルからマクロ・セル、および小セルから小セルのうちの１つである、ステップと、サービング基地局によって、ＵＥの速さおよびハンドオーバのタイプに基づいて、サービング基地局からターゲット基地局へのハンドオーバを制御するステップとを含む。例の実施形態では、ＵＥの速さを分類するステップは、ＵＥの速さを低速、中速、および高速のうちの１つに分類するステップを含む。
【００１０】
例の実施形態では、制御するステップは、ＵＥの速さが高速である場合に小セルへのハンドオーバを防ぐステップを含む。
【００１１】
例の実施形態では、制御するステップは、ターゲット基地局のａｌｍｏｓｔ  ｂｌａｎｋ  ｓｕｂ−ｆｒａｍｅ（ＡＢＳ）での送信のためにＵＥをスケジューリングするステップを含む。
【００１２】
例の実施形態では、制御するステップは、ＵＥの速さが低速である場合にｔｉｍｅ−ｔｏ−ｔｒｉｇｇｅｒ（ＴＴＴ）ハンドオーバ期間を増やすステップを含む。
【００１３】
例の実施形態では、制御するステップは、ＵＥの速さが低速である場合にハンドオーバしきい値を増やすステップと、ハンドオーバしきい値がＵＥでのターゲット基地局とサービング基地局とのｒｅｆｅｒｅｎｃｅ  ｓｉｇｎａｌ  ｒｅｃｅｉｖｅｄ  ｐｏｗｅｒ（ＲＳＲＰ）の間の差を超える場合に、ＵＥをハンドオーバするステップとを含む。例の実施形態では、異なるＴＴＴ値は、マクロから小へ、小からマクロへ、マクロからマクロへ、および小から小へのハンドオーバ・シナリオを含む異なるハンドオーバ・シナリオで異なってセットされる。制御するステップは、ＵＥの速さが高速である場合にｔｉｍｅ−ｔｏ−ｔｒｉｇｇｅｒ（ＴＴＴ）ハンドオーバ期間を減らすステップを含む。
【００１４】
例の実施形態では、制御するステップは、ＵＥの速さが高速である場合にハンドオーバしきい値を減らすステップと、ハンドオーバしきい値がＵＥでのターゲット基地局のｒｅｆｅｒｅｎｃｅ  ｓｉｇｎａｌ  ｒｅｃｅｉｖｅｄ  ｐｏｗｅｒ（ＲＳＲＰ）とサービング基地局のＲＳＲＰとの間の差を超える場合にＵＥをハンドオーバするステップとを含む。
【００１５】
例の実施形態では、制御するステップは、ＵＥの速さが中速である場合にハンドオーバしきい値を増やすステップと、ハンドオーバしきい値がＵＥでのターゲット基地局のｒｅｆｅｒｅｎｃｅ  ｓｉｇｎａｌ  ｒｅｃｅｉｖｅｄ  ｐｏｗｅｒ（ＲＳＲＰ）とサービング基地局のＲＳＲＰとの間の差を超える場合にＵＥをハンドオーバするステップとを含む。
【００１６】
例の実施形態では、制御するステップは、ＵＥの速さに基づいてハンドオーバしきい値を変更するステップと、ハンドオーバしきい値がＵＥでのターゲット基地局のｒｅｆｅｒｅｎｃｅ  ｓｉｇｎａｌ  ｒｅｃｅｉｖｅｄ  ｐｏｗｅｒ（ＲＳＲＰ）とサービング基地局のＲＳＲＰとの間の差を超える場合にＵＥをハンドオーバするステップとを含む。
【００１７】
例の実施形態では、制御するステップは、ＵＥの速さに基づいてｔｉｍｅ−ｔｏ−ｔｒｉｇｇｅｒ（ＴＴＴ）ハンドオーバ期間を変更するステップを含む。
【００１８】
例の実施形態では、制御するステップは、ＵＥの速さに基づいてレイヤ３フィルタ「Ｋ」値を調整するステップを含む。
【００１９】
例の実施形態では、この方法は、ＵＥの方向を判定するステップをさらに含み、制御するステップは、サービング基地局によって、ＵＥの速度に基づいてサービング基地局からターゲット基地局へのハンドオーバを制御するステップであって、速度は、ＵＥの速さおよび方向である、ステップを含む。
【００２０】
例の実施形態では、ＵＥの速さを判定するステップは、ＵＥの速さを、低速、中速、および高速のうちの１つに分類するステップを含む。
【００２１】
例の実施形態では、制御するステップは、ＵＥの速さが高速である場合にハンドオーバを防ぐステップを含む。
【００２２】
例の実施形態では、制御するステップは、ＵＥの速度に基づいてハンドオーバしきい値を変更するステップと、ハンドオーバしきい値がＵＥでのターゲット基地局のｒｅｆｅｒｅｎｃｅ  ｓｉｇｎａｌ  ｒｅｃｅｉｖｅｄ  ｐｏｗｅｒ（ＲＳＲＰ）とサービング基地局のＲＳＲＰとの間の差を超える場合にＵＥをハンドオーバするステップとを含む。
【００２３】
例の実施形態では、制御するステップは、ＵＥの速度に基づいてｔｉｍｅ−ｔｏ−ｔｒｉｇｇｅｒ（ＴＴＴ）ハンドオーバ期間を変更するステップを含む。
【００２４】
例の実施形態では、制御するステップは、ＵＥの速度に基づいてレイヤ３フィルタＫ値を調整するステップを含む。
【００２５】
例の実施形態では、サービング基地局は、マクロ・セル・カバレージ・エリアに関連し、ターゲット基地局は、小セル・カバレージ・エリアに関連し、小セル・カバレージ・エリアは、マクロ・セル・カバレージ・エリア内にある。
【００２６】
例の実施形態では、サービング基地局は、マクロ・セル・カバレージ・エリアに関連し、ターゲット基地局は、別のマクロ・セル・カバレージ・エリアに関連する。
【００２７】
例の実施形態では、サービング基地局は、マクロ・セル内の小セル・カバレージ・エリアに関連し、ターゲット基地局は、そのマクロ・セル内の別の小セル・カバレージ・エリアに関連する。
【００２８】
例の実施形態では、サービング基地局は、マクロ・セル内の小セル・カバレージ・エリアに関連し、ターゲット基地局は、そのマクロ・セルに関連する。
【００２９】
例の実施形態では、制御するステップは、ＵＥの速さに基づいてハンドオーバしきい値を変更するステップであって、ハンドオーバしきい値は、ターゲット基地局に関連するセルのセル固有オフセット、イベントのヒステリシス・パラメータ、およびイベントのシステム全体の共通オフセット・パラメータのうちの１つである、ステップをさらに含む。
【００３０】
例の実施形態では、制御するステップは、ハンドオーバのタイプに基づいてレイヤ３フィルタ「Ｋ」値を調整するステップを含み、ハンドオーバのタイプは、マクロ・セルからマクロ・セル、マクロ・セルから小セル、小セルからマクロ・セル、および小セルから小セルである。
【００３１】
例の実施形態では、制御するステップは、ターゲット基地局のａｌｍｏｓｔ  ｂｌａｎｋ  ｓｕｂ−ｆｒａｍｅ（ＡＢＳ）上での送信のためにＵＥをスケジューリングするステップと、ターゲット基地局にＵＥをハンドオーバするステップとを含む。
【００３２】
例の実施形態では、制御するステップは、ハンドオーバのタイプに基づいてＴＴＴ値を調整するステップを含み、ハンドオーバのタイプは、マクロ・セルからマクロ・セル、マクロ・セルから小セル、小セルからマクロ・セル、および小セルから小セルのうちの１つである。
【００３３】
もう１つの例の実施形態は、基地局に関連するエリア内のＵＥの速さを判定し、ＵＥの速さおよびハンドオーバのタイプに基づいてその基地局からターゲット基地局へのハンドオーバを制御するように構成された基地局であって、ハンドオーバのタイプは、マクロ・セルからマクロ・セル、マクロ・セルから小セル、小セルからマクロ・セル、および小セルから小セルである、基地局を開示する。
【００３４】
もう１つの例の実施形態は、ターゲット小セルに対する相対的なユーザ機器（ＵＥ）の速度に基づくサービング・マクロ・セルからターゲット小セルへのハンドオーバに関するハンドオーバ測定を実行するように構成されたＵＥを開示する。
【００３５】
例の実施形態は、添付図面に関連して解釈される次の詳細な説明からより明瞭に理解される。図１〜７Ｂは、本明細書で説明される非限定的な例の実施形態を表す。
【図面の簡単な説明】
【００３６】
【図１】例の実施形態による無線通信システムを示す図である。
【図２】マクロ・セルおよび小セルのＲＳＲＰプロファイルと、従来のハンドオーバのタイムラインとを示す図である。
【図３】図１のマクロ・セルを示す図である。
【図４Ａ】例の実施形態による、サービング基地局からターゲット基地局へのＵＥのハンドオーバを制御する方法を示す図である。
【図４Ｂ】ＵＥの速さに基づいてハンドオーバを制御する方法を示す流れ図である。
【図５Ａ】例の実施形態による、ハンドオーバの量を減らすためにAlmost Blank Sub-frame（ＡＢＳ）を使用する方法を示す図である。
【図５Ｂ】例の実施形態による、ハンドオーバの量を減らすためにAlmost Blank Sub-frame（ＡＢＳ）を使用する方法を示す図である。
【図５Ｃ】例の実施形態による、ハンドオーバの量を減らすためにAlmost Blank Sub-frame（ＡＢＳ）を使用する方法を示す図である。
【図６Ａ】ハンドオーバの量を減らすためにAlmost Blank Sub-frame（ＡＢＳ）を使用する方法のもう１つの例の実施形態を示す図である。
【図６Ｂ】ハンドオーバの量を減らすためにAlmost Blank Sub-frame（ＡＢＳ）を使用する方法のもう１つの例の実施形態を示す図である。
【図７Ａ】図１に示されたＵＥの例の実施形態を示す図である。
【図７Ｂ】図１に示された基地局の例の実施形態を示す図である。
【発明を実施するための形態】
【００３７】
さまざまな例の実施形態を、これから、いくつかの例の実施形態が示された添付図面を参照して、より十分に説明する。
【００３８】
したがって、例の実施形態は、さまざまな修正形態および代替形態が可能であるが、その実施形態が、図面に例として示され、本明細書で詳細に説明される。しかし、例の実施形態を、開示される特定の形態に限定する意図はなく、逆に、例の実施形態が、特許請求の範囲の範囲に含まれるすべての修正形態、同等物、および代替形態を包含しなければならないことを理解されたい。同様の符号は、図面の説明全体を通じて同様の要素を指す。
【００３９】
用語第１、第２などが、本明細書でさまざまな要素を記述するのに使用される場合があるが、これらの要素がこれらの用語によって限定されてはならないことを理解されたい。これらの用語は、ある要素を別の要素から区別するためにのみ使用される。たとえば、例の実施形態の範囲から逸脱せずに、第１要素を第２要素と呼ぶことができ、同様に、第１要素を第２要素と呼ぶことができる。本明細書で使用される時に、用語「および／または」は、関連してリストされる項目のうちの１つまたは複数の任意のすべての組合せを含む。
【００４０】
ある要素が別の要素に「接続される」または「結合される」ものとして言及される時に、その要素を、別の要素に直接に接続しまたは結合することができ、あるいは、介在する要素が存在することができることを理解されたい。対照的に、ある要素が別の要素に「直接に接続される」または「直接に結合される」ものとして言及される時には、介在する要素は存在しない。要素の間の関係を記述するのに使用される他の単語は、同様の形で解釈されなければならない（たとえば、「〜の間」対「直接に〜の間」、「隣接する」対「直接に隣接する」など）。
【００４１】
本明細書で使用される用語法は、特定の実施形態を説明するためのみのものであって、例の実施形態について限定的であることは意図されていない。本明細書で使用される時に、単数形「ａ」、「ａｎ」、および「ｔｈｅ」は、文脈がそうではないことを明らかに示さない限り、複数形をも含むことが意図されている。さらに、用語「comprises(含む)」、「comprising(含む)」、「includes(含む)」、および／または「including(含む)」は、本明細書で使用される時に、述べられる特徴、整数、ステップ、動作、要素、および／またはコンポーネントの存在を指定するが、１つまたは複数の他の特徴、整数、ステップ、動作、要素、コンポーネント、および／またはそのグループの存在または追加を除外しないことを理解されたい。
【００４２】
また、いくつかの代替実施形態で、示される機能／行為が、図に示された順序から外れて発生する可能性があることに留意されたい。たとえば、連続して示される２つの図が、用いられる機能性／行為に依存して、実際には実質的に同時に実行されてもよく、あるいは、時々逆の順序で実行されてもよい。
【００４３】
そうではないと定義されない限り、本明細書で使用されるすべての用語（技術用語および科学用語を含む）は、例の実施形態が属する技術における通常の技量を有するものによって一般に理解されるものと同一の意味を有する。さらに、用語、たとえば一般に使用される辞書で定義される用語は、関連技術の文脈での意味と一貫する意味を有すると解釈されなければならず、本明細書で特にそのように定義されない限り、理想化された意味または過度に形式的な意味では解釈されないことを理解されたい。
【００４４】
例の実施形態の諸部分および対応する詳細な説明は、ソフトウェアまたは、コンピュータ・メモリ内のデータ・ビットに対する演算のアルゴリズムおよび記号表現に関して提示される。これらの説明および表現は、当業者が彼らの作業の実質を他の当業者にそれによって効果的に伝える説明および表現である。アルゴリズムは、この用語が本明細書で使用される時に、および一般的に使用される時に、所望の結果につながるステップの自己完結的シーケンスと考えられる。これらのステップは、物理的量の物理的操作を必要とするステップである。必ずではないが通常、これらの量は、格納され、転送され、組み合わされ、比較され、かつ他の形で操作されることが可能な光信号、電気信号、または磁気信号の形を取る。時々、主に一般的な使用のために、これらの信号をビット、値、要素、シンボル、文字、項、数、または類似物と称することが便利であることがわかっている。
【００４５】
次の説明では、例示的実施形態を、特定のタスクを実行するか特定の抽象データ型を実施し、既存ネットワーク要素または制御ノードの既存ハードウェアを使用して実施できる、ルーチン、プログラム、オブジェクト、コンポーネント、データ構造などを含むプログラム・モジュールまたは機能プロセスとして実施できる行為および動作の記号表現（たとえば、流れ図の形の）を参照して説明する。そのような既存ハードウェアは、１つまたは複数の中央処理装置（ＣＰＵ）、ディジタル信号プロセッサ（ＤＳＰ）、特定用途向け集積回路、フィールド・プログラマブル・ゲート・アレイ（ＦＰＧＡ）コンピュータ、または類似物を含むことができる。
【００４６】
そうではないと具体的に述べられない限り、または議論から明白であるように、「processing(処理)」、「computing（コンピューティング）」、「calculating(計算)」、「determining(判定)」、「displaying(表示）」、または類似物などの用語は、コンピュータ・システムのレジスタおよびメモリ内の物理的電子量として表されたデータを操作し、コンピュータ・システム・メモリもしくはレジスタまたは他のそのような情報記憶デバイス、情報伝送デバイス、もしくは情報表示デバイス内の物理的量として同様に表された他のデータに変換する、コンピュータ・システムまたは類似する電子コンピューティング・デバイスのアクションおよびプロセスを指す。
【００４７】
本明細書で開示される時に、用語「記憶媒体」、「ストレージ・ユニット」、または「コンピュータ可読記憶媒体」は、読取り専用メモリ（ＲＯＭ）、ランダム・アクセス・メモリ（ＲＡＭ）、磁気ＲＡＭ、コア・メモリ、磁気ディスク記憶媒体、光記憶媒体、フラッシュ・メモリ・デバイス、および／または情報を格納するための他の有形の機械可読媒体を含む、データを格納するための１つまたは複数のデバイスを表すことができる。用語「コンピュータ可読媒体」は、ポータブルまたは固定式の、ストレージ・デバイス、光ストレージ・デバイス、ならびに命令（１つまたは複数）および／またはデータを格納し、含み、または担持することのできるさまざまな他の媒体を含むことができるが、これに限定されない。
【００４８】
さらに、例の実施形態を、ハードウェア、ソフトウェア、ファームウェア、ミドルウェア、マイクロコード、ハードウェア記述言語、またはその任意の組合せによって実施することができる。ソフトウェア、ファームウェア、ミドルウェア、またはマイクロコードで実施される時に、必要なタスクを実行するプログラム・コードまたはコードセグメントを、コンピュータ可読記憶媒体などの機械可読媒体またはコンピュータ可読媒体に格納することができる。ソフトウェアで実施される時に、１つまたは複数のプロセッサが、必要なタスクを実行する。
【００４９】
コードセグメントは、手続き、関数、サブプログラム、プログラム、ルーチン、サブルーチン、モジュール、ソフトウェア・パッケージ、クラス、または命令、データ構造、もしくはプログラムステートメントの任意の組合せを表すことができる。コードセグメントを、情報、データ、引数、パラメータ、またはメモリ内容を渡し、かつ／または受け取ることによって、別のコードセグメントまたはハードウェア回路に結合することができる。情報、引数、パラメータ、データなどを、メモリ共有、メッセージ渡し、トークン渡し、ネットワーク伝送などを含む任意の適切な手段を介して渡し、転送し、または送信することができる。
【００５０】
本明細書で使用される時に、用語「ユーザ機器」または「ＵＥ」は、ユーザ機器、移動局、モバイル・ユーザ、アクセス端末、モバイル端末、ユーザ、加入者、無線端末、端末、および／またはリモート・ステーションと同義とすることができ、無線通信ネットワーク内の無線リソースのリモート・ユーザを説明することができる。したがって、ＵＥは、無線電話機、無線を備えるラップトップ、無線を備える機器などとすることができる。
【００５１】
用語「基地局」は、１つまたは複数のセル・サイト、基地局、ｎｏｄｅＢ、ｅｎｈａｎｃｅｄ  ＮｏｄｅＢ、アクセス・ポイント、および／または無線周波数通信の任意の終点と理解される。現在のネットワーク・アーキテクチャは、モバイル／ユーザ・デバイスとアクセス・ポイント／セル・サイトとの間の区別を考慮するが、本明細書でこの後で説明される例の実施形態は、たとえばアド・ホック・ネットワーク・アーキテクチャおよび／またはメッシュ・ネットワーク・アーキテクチャなど、その区別がさほど明瞭ではないアーキテクチャにも一般に適用可能とすることもできる。
【００５２】
基地局からＵＥへの通信を、通常は、ダウンリンク通信または順方向リンク通信と呼ぶ。ＵＥから基地局への通信を、通常は、アップリンク通信または逆方向リンク通信と呼ぶ。
【００５３】
サービング基地局は、現在ＵＥの通信の必要を処理しつつある基地局を指すことができる。
【００５４】
図１に、例の実施形態による無線通信システムを示す。図１を参照すると、無線通信システムは、異種ネットワーク１００（ＨｅｔＮｅｔ）を含み、ここで、より小さいフットプリント・サイズのセル（たとえば、フェムト・セル）は、より大きいマクロ・セルのカバレージ・エリア（たとえば、マクロ基地局によってサービスされるエリア）に組み込まれ、または、少なくともより大きいマクロ・セルによって部分的にオーバーラップされる。本明細書で使用される時に、用語法「セル」は、カバレージ・エリアならびにカバレージ・エリアにサービスする基地局を指す。各セルが、関連する基地局を有することを理解されたい。
【００５５】
図示されているように、複数のマクロ・セル１０５１〜１０５ｎは、セルの六角形グリッドに配置される。ＥＮｏｄｅＢ  １１０１〜１１０ｎは、それぞれ複数のマクロ・セル１０５１〜１０５ｎにサービスする。セル１０５１内のユーザ機器（ＵＥ）１１５は、ｅＮｏｄｅＢ  １１０１と通信することができる。ＵＥ  １１５は、マクロ・セル１０５１内にあるので、ｅＮｏｄｅＢ  １１０１を、サービング基地局と呼ぶことができる。
【００５６】
ｅＮｏｄｅＢ  １１０１は、ｅＮｏｄｅＢ  １１０１とＵＥ  １１５との間のデータの伝送をサポートする少なくとも１つのエア・インターフェースを介してＵＥ  １１５と通信する（逆も同様）。ＵＥ  １１５とｅＮｏｄｅＢ  １１０１との間のアップリンクおよび／またはダウンリンクの無線通信チャネルを提供するためにＵＥ  １１５とｅＮｏｄｅＢ  １１０１との間のエア・インターフェースを確立し、維持し、操作する技法は、当技術分野で既知であり、明瞭さのために、本開示に関係するエア・インターフェースの確立、維持、および操作の態様だけを、本明細書で議論する。
【００５７】
小セルは、マクロ・セル１０５１−１０５ｎのそれぞれの中にオーバーレイすることができる。例の実施形態は、任意の個数およびタイプの小セルを包含することができる。たとえば、句「小セル」は、フェムト・セル、フェムト・アクセス・ポイント（または基地局）、ピコ・セル、ピコ・アクセス・ポイント（または基地局）、マイクロ・セル、マイクロ・アクセス・ポイント（または基地局）、メトロ・セル、メトロ・アクセス・ポイント（または基地局）、ナノ・セル、ナノ・アクセス・ポイント（または基地局）、その他など、任意の比較的小さいセルまたはアクセス・ポイントを指すことができる。
【００５８】
例示のために、小セル１２０は、マクロ・セル１０５１のカバレージ・エリア内に組み込まれる。小セル１２０を、ピコ・セルまたはフェムト・セルとすることができる。しかし、小セルは、ピコ・セルまたはフェムト・セルであることに限定されない。
【００５９】
さらに、ＵＥ  １１５は、ある速さで小セル１２０に向かって移動しつつある。
【００６０】
ネットワーク１００は、ＬＴＥネットワークである。しかし、本明細書で説明される例の実施形態を、System for Mobile Communications（ＧＳＭ）、General Packet Radio Service（ＧＰＲＳ）、Universal Mobile Telecommunications System（ＵＭＴＳ）、High-Speed Downlink Packet Access（ＨＳＤＰＡ）、および／またはHigh-Speed Uplink Packet Access（ＨＳＵＰＡ）セルラ標準規格に従って実行することができることを理解されたい。
【００６１】
図２に、マクロ・セルおよび小セルのＲＳＲＰプロファイルと、従来のハンドオーバ（ＨＯ）のタイムラインとを示す。ネットワーク１００は、図２に示された従来のＨＯタイムラインを実行するように構成される。ＲＳＲＰが示されているが、reference signal received quality（ＲＳＲＱ）を、ＲＳＲＰと交換可能に使用できることを理解されたい。
【００６２】
図２に示されているように、マクロ・セルのＲＳＲＰは、ＵＥがｅＮｏｄｅＢから離れて移動する時に減少する。ｅＮｏｄｅＢと小セルの送信するアンテナとの間のある距離で、その小セルからのＲＳＲＰは、マクロのＲＳＲＰより大きくなる。小セルからのＲＳＲＰが、ＨＯしきい値ＨＯＴＨＲだけマクロ・セルのＲＳＲＰより大きい時に、ｅＮｏｄｅＢは、ＨＯプロセスをトリガする。ＨＯしきい値ＨＯＴＨＲを、経験的データに基づいて決定することができる。たとえば、ＨＯしきい値ＨＯＴＨＲを変更し、ＨＯ性能を監視して、実際の値を選択する。ＨＯしきい値ＨＯＴＨＲを、ＨＯ故障率およびピンポンならびにセル・カバレージ範囲などの他の要因に基づくものとすることができる。
【００６３】
ＬＴＥでは、イベントＡ３は、隣接するセル（たとえば、小セル）からの、ＲＳＲＰなどの測定メトリックが、サービング・セル（たとえば、マクロ・セル）からのＲＳＲＰ測定値より大きくなる時に発生する。イベントＡ３  ＨＯ測定値レポート・トリガは、３ＧＰＰ  ＴＳ  ３６．３３１で指定される。例の実施形態は、３ＧＰＰ  ＴＳ  ３６．３３１に関係するＨＯを議論するが、例の実施形態を、これに限定してはならず、ＴＳ  ３６．３００で指定されるＨＯおよび他のタイプのＨＯで実施できることを理解されたい。さらに、例の実施形態は、イベントＡ３に関係するＨＯを議論するが、例の実施形態を、これに限定してはならず、例の実施形態を、イベントＡ４およびイベントＡ５などの他のイベント・シナリオで実施できることを理解されたい。
【００６４】
ＴＳ  ３６．３３１では、ハンドオーバ手順は、
Ｍｎ＋Ｏｆｎ＋Ｏｃｎ−Ｈｙｓ＞Ｍｓ＋Ｏｆｓ＋Ｏｃｓ＋Ｏｆｆ    （１）
の時に開始され、ここで、Ｏｃｎは、隣接セルのセル固有オフセットであり、隣接セルについて構成されない場合には０がセットされ、Ｏｃｓは、サービング・セルのセル固有オフセットであり、サービング・セルについて構成されない場合には０がセットされ、Ｈｙｓは、イベントのヒステリシス・パラメータ（０，０．５…１５ｄＢ）であり、Ｏｆｆは、このイベントのシステム全体の共通オフセット・パラメータである。Ｍｎ、Ｍｓは、それぞれ隣接セルおよびサービング・セルについて、ＲＳＲＰの場合にはｄＢｍ単位、reference signal received quality（ＲＳＲＱ）の場合にはｄＢ単位で表される。この式の他のハンドオーバ・パラメータは、ｄＢ単位で表される。
【００６５】
式（１）が満足される時に、イベントＡ３が発生し、ＨＯプロセスが開始される。ＨＯ測定は、ＵＥによって行われ、その後、サービング基地局に報告される。
【００６６】
ＴＳ  ３６．３３１では、ハンドオーバ手順は、
Ｍｎ＋Ｏｆｎ＋Ｏｃｎ＋Ｈｙｓ＜Ｍｓ＋Ｏｆｓ＋Ｏｃｓ＋Ｏｆｆ    （２）
の時に終了する。ＨＯ手順は、式（２）が満足される時に、２つのセルの間で終了する。
【００６７】
式（１）を、
Ｍｎ＞Ｍｓ＋ＨＯＴＨＲ    （３）
に単純化することができ、ここで、Ｍｎは、オフセットを全く考慮に入れない、隣接セルの測定結果（たとえば、ＲＳＲＰまたはＲＳＲＱ）であり、Ｍｓは、オフセットを全く考慮に入れない、サービング・セルの測定結果であり、ＨＯＴＨＲは、ハンドオーバしきい値である。ハンドオーバしきい値ＨＯＴＨＲは、パラメータＯｃｎ、Ｈｙｓ、Ｏｆｆ、Ｏｃｓ、またはパラメータＯｃｎ、Ｈｙｓ、Ｏｆｆ、およびＯｃｓのいずれかの組合せのうちの１つであり、これは、ＬＴＥ標準規格で定義される。
【００６８】
図２を参照すると、小セルからマクロ・セルへのトリガするハンドオーバ・プロセスは、マクロ・セルからのＲＳＲＰがＨＯしきい値ＨＯＴＨＲだけ小セルのＲＳＲＰより大きい時に発生する。
【００６９】
サービング基地局は、ＵＥとの既知の通信方法または制御シグナリングに基づいて、パラメータＭｎ、Ｍｓ、Ｏｆｎ、Ｏｃｎ、Ｏｆｓ、Ｏｃｓ、Ｈｙｓ、およびＯｆｆを判定するように構成される。したがって、簡潔さおよび明瞭さのために、さらなる説明は提供しない。
【００７０】
ＵＥが、小セルまたは別のマクロ・セルなどのターゲット・セルに向かって移動し、ターゲット・セルが、入る条件（１）を満足する時に、ターゲット・セルは、ＨＯに関する隣接リストに含まれる。
【００７１】
ＵＥが、ターゲット・セルから離れて移動し、去る条件（２）が満足される時に、そのターゲット・セルは、ＨＯに関する隣接リストから除去される。
【００７２】
隣接リストの管理は、周知であり、したがって、簡潔さのために説明しない。
【００７３】
従来の同一チャネルのマクロからマクロへのＨＯに関して、パラメータＯｆｎ、Ｏｃｎ、Ｏｆｓ、およびＯｃｓには、０がセットされる。パラメータＨｙｓは、正の量であり、ピンポンおよび不必要なＨＯを防ぐのに使用される。パラメータＯｆｆは、ＨＯしきい値ＨＯＴＨＲとすることができ、一般に、正の量であり、すべてのターゲット・セルに共通する。
【００７４】
ＵＥは、物理（ＰＨＹ）層（レイヤ１）でＲＳＲＰを測定し、周期的に測定されたＲＳＲＰは、ＵＥのレイヤ３で無限インパルス応答（ＩＩＲ）フィルタを通過して、マルチパス・フェージングに起因する変動が除去され、正確なＨＯ判断を行う。標準規格ＴＳ  ３６．３３１では、ＩＩＲフィルタは、
Ｆｎ＝（１−ａ）Ｆｎ−１＋ａＭｎ  （４）
と表され、ここで、
ａ＝１／２＾（Ｋ／４）    （５）
であり、Ｆｎ−１およびＦｎは、それぞれ以前のおよび現在のフィルタリングされたＲＳＲＰ値である。
【００７５】
ＴＳ  ３６．３３１では、レイヤ１サンプリング・レートは、実装固有であり、レイヤ３フィルタリング・サンプリング・レートは、２００ｍｓである。
【００７６】
図２を参照すると、小セルＲＳＲＰが、マクロ・セルＲＳＲＰとハンドオーバしきい値ＨＯＴＨＲとの合計より大きい時に、サービング基地局は、ＵＥを小セルにハンドオーバしなければならないと判断する。ＬＴＥは、不必要なＨＯを減らす機構を含む。これは、Time-to-trigger（ＴＴＴ）、ＨＯしきい値またはマージン、およびレイヤ３フィルタリングを含む。
【００７７】
ＲＳＲＰプロファイルがお互いと交差する時に、サービング基地局は、ハンドオフを開始する前にＨＯしきい値ＨＯＴＨＲを検討する。ＨＯしきい値ＨＯＴＨＲは、シャドウイングおよびフェージングに起因する不必要なＨＯを防ぐ。
【００７８】
小セルのＲＳＲＰが、ＨＯしきい値ＨＯＴＨＲだけサービング基地局のＲＳＲＰを超えるとＵＥが判定する時に、ＨＯが開始される。ＵＥは、ＲＳＲＰ測定を行い、ＴＴＴを開始する。ＴＴＴが満了する時に、ＵＥは、測定レポートをサービング基地局に送信する。
【００７９】
ＴＴＴは、不必要に行き来するＨＯをも防ぐ。しかし、より小さい地理的カバレージ・エリアを有する小セルが存在する時に、晩期ＨＯおよびより大きいＴＴＴは、現在のサービング・セルに、ダウンリンクで無線リンク障害（ＲＬＦ）を経験させる可能性がある。ＵＥが、小セルに向かって／を通過して移動しつつある時に、ＵＥが小セルに深く入るまで、ＨＯが発生しない可能性がある。ＵＥが小セルに深く入った時に、小セルからの干渉は、ＨＯが完了する前にマクロ・ダウンリンクＲＬＦを引き起こす可能性がある。同様に、ＵＥが小セルから出て移動しつつある場合に、晩期ＨＯおよびより大きいＴＴＴは、小セル・ダウンリンクＲＬＦを引き起こす可能性がある。
【００８０】
接続モードＨＯプロセスは、無線リンク・モニタリング・プロセスおよび無線リンク障害プロセス（ＲＬＭ、ＲＬＦ）によっても影響を受ける。接続モードは、アクティブ・データ伝送がｅＮｏｄｅＢとＵＥとの間で行われることを意味する。アイドル・モードは、ＵＥがオンであるが、データ伝送が行われず、周期的制御チャネルだけがｅＮＢとＵＥとの間で送信されることを意味する。本明細書で説明する例の実施形態では、ＨＯプロセスは、接続モード中である。
【００８１】
ＵＥは、無線リンク品質を監視し続ける。一般に、ＵＥは、サービング基地局との通信の広帯域channel quality indicator（ＣＱＩ）がしきい値Ｑｏｕｔ未満になるかどうかを２００ｍｓおきにチェックする。ＣＱＩがしきい値Ｑｏｕｔ未満になる場合には、ＵＥは、ＲＬＦタイマ（Ｔ３１０）を開始する。ＲＬＦタイマが走行中である時には、ＵＥは、広帯域ＣＱＩがしきい値Ｑｉｎを超えるかどうかを１００ｍｓおきに判定する。ＣＱＩがＱｉｎを超える場合に、ＲＬＦタイマは、停止され、無線リンクは、回復される。そうではない場合には、ＲＬＦタイマが満了する時に、ＲＬＦがＵＥによって宣言される。ＲＬＦタイマが走行中である場合にＴＴＴが満了する時には、ＲＬＦタイマもリセットされる。
【００８２】
ＵＥがＨＯ測定要求を受信する時に、ＵＥは、ＲＳＲＰを周期的に、たとえば４０ｍｓおきに測定する。サービング基地局は、測定レポートを要求することができ、あるいは、ＵＥは、サービング基地局からの要求なしに測定レポートを送信することができる。
【００８３】
レイヤ３ＲＳＲＰフィルタリングの後に、ＨＯプロセスは、マクロから小へのＨＯに関して
ＲＳＲＰＳｍａｌｌ＞ＲＳＲＰＭａｃｒｏ＋ＨＯＴＨＲ  （６）
である場合に開始され、ここで、ＲＳＲＰＳｍａｌｌは、小セルの測定されたＲＳＲＰであり、ＲＳＲＰＭａｃｒｏは、マクロ・セルの測定されたＲＳＲＰである。言い替えると、イベントＡ３の入る条件が満足される。ＨＯプロセスが開始された後に、サービング基地局は、ＴＴＴを開始する。
【００８４】
ＵＥは、ＴＴＴ期間中にＲＳＲＰおよび広帯域ＣＱＩを測定し続ける。その後、ＵＥは、測定レポートをサービング基地局に送信し、サービング基地局は、サービング基地局が測定レポートを処理した後に、ＵＥにＨＯコマンドを送信する。
【００８５】
ＨＯ障害に関する少なくとも３つの可能なシナリオがある。
１．ＴＴＴタイマが走行中である時に、ＲＬＦタイマが満了する可能性がある。この状況では、サービング・セルＲＬＦが、ＨＯの前に発生する。
２．ＴＴＴタイマが満了する時に、ＲＬＦタイマは、満了するのではなくリセットされる。この状況では、サービング・セルＤＬ制御チャネル障害が発生し（ＰＤＣＣＨ）、ＨＯ障害をもたらす。
３．ＴＴＴが満了し、ＵＥがＨＯコマンドを成功して受信する時。その後、ＵＥは、ターゲット・セルへの接続を試み、ランダム・アクセス障害が発生する可能性があり（ランダム・アクセス・メッセージ２障害）、ＨＯ障害につながる。
【００８６】
例の実施形態は、ＵＥの速さおよび／または速度に基づいてＨＯパラメータを調整することと、ＨＯ障害を減らすために速さ／速度を使用することとによって、ＨＯ障害の量を減らす。
【００８７】
図３に、図１に示されたマクロ・セル１０５１を示す。図示されているように、アンテナ１２５は、小セル１２０内の機器への通信を提供する。
【００８８】
基地局１１０１とアンテナ１２５との両方が、ＵＥ  １１５の速さおよび／または速度を判定するように構成される。アンテナ１２５は、ピコ・セル基地局、フェムト基地局、または任意の他のタイプの小セル基地局とすることができる。ＬＴＥで既知のように、ＵＥまたはサービング基地局は、ある時間期間以内にＵＥがハンドオーバされたセルの個数に基づいてＵＥの速さを推定する。他の方法も既知である。ＵＥベースの方法は、Mobility state estimationと呼ばれ、これは標準規格で指定される。サービング基地局は、ＵＥ速さを推定するためにＨＯの累算個数をカウントし、維持することもできる。ＵＥの速さを判定する他の既知の方法を使用することができる。
【００８９】
図４Ａに、例の実施形態による、サービング基地局からターゲット基地局へのＵＥのＨＯを制御する方法を示す。図４Ａに示された方法は、マクロから小セルのＨＯを対象とするが、図４Ａの方法を、マクロからマクロ、小から小、および小からマクロへのＨＯで実施できることを理解されたい。さらに、ＨＯしきい値、ＴＴＴ、およびＫ値などのＨＯパラメータを、速さ（または速度）およびＨＯのタイプ（たとえば、マクロからマクロ、マクロから小、小からマクロ、および小から小）に基づいて調整することができる。サービング基地局を、ｅＮｏｄｅＢ  １１０１とすることができ、ターゲット基地局を、アンテナ１２５とすることができることに留意されたい。したがって、ＵＥは、マクロ・セルカバレージ・エリア内にあり、サービング基地局と通信している。
【００９０】
１つの例の実施形態では、サービング基地局は、ＨＯしきい値としてパラメータＯｃｎを使用する。パラメータＯｃｎを用いると、異なるＨＯしきい値を、ＨＯシナリオに応じてセットすることができる。
【００９１】
ＴＳ  ３６．３３１では、レイヤ３フィルタリング・サンプリング・レートは、２００ｍｓである。しかし、本発明人は、２００ｍｓサンプリング・レートがＨＯ性能に影響することを発見した。したがって、少なくとも１つの例の実施形態では、サービング基地局は、より高速のレイヤ１からレイヤ３へのサンプリング期間（たとえば、４０ｍｓ、５０ｍｓ、または１００ｍｓ）を使用する。
【００９２】
さらに、小セルが存在する時には、より小さいＫ値（たとえば、Ｋ＝０、１、または２）が、基地局によって使用される。さらに、異なるＫ値が、マクロからマクロ、マクロから小、小からマクロ、および小から小など、ＨＯのタイプに応じて使用される。レイヤ３フィルタは、ＲＳＲＰに対するマルチパス・フェージングの影響を平均によって除く。式（４）のＫ値は、平均化の持続時間の表示である。より小さいＫ値は、平均化が短い時間期間の間に行われることを意味する。異なるＫ値は、異なるハンドオーバ・シナリオについて、それぞれ、経験的データに基づいてネットワークによって判定される。
【００９３】
ＨＯしきい値ＨＯＴＨＲに似て、初期ＴＴＴ時間および初期Ｋ値は、経験的データに基づいてセットされる。オペレータは、ネットワークをテストし、あるシナリオ／動作条件についてＨＯしきい値ＨＯＴＨＲ、初期ＴＴＴ時間、および初期Ｋ値を判定する。ＵＥの初期値は、専用の制御メッセージまたはブロードキャスト・メッセージを使用してセットされる。
【００９４】
図４Ａに示されているように、サービング基地局は、Ｓ４０５で、ＵＥの速さ／速度およびＨＯのタイプを判定する。ハンドオーバのタイプは、マクロ・セルからマクロ・セル、マクロ・セルから小セル、小セルからマクロ・セル、および小セルから小セルのうちの１つである。サービング基地局は、ＵＥを別のセルにハンドオーバすべきかどうかを判断する。ＨＯ測定値は、ＲＳＲＰに基づくものとすることができる。マクロ・セルおよび小セルに割り振られたセルＩＤは、基地局に既知である。ターゲット基地局のセルＩＤから、サービング基地局は、ＨＯのタイプを判定する。
【００９５】
Ｓ４１０では、サービング基地局は、ＵＥの速さに基づいてＨＯを制御する。ＨＯしきい値は、ＵＥの速さに基づいて調整されるので、イベントＡ３の入る条件（１）は、継続的に変化する。
【００９６】
図４Ｂに、例の実施形態によるＳ４１０をより詳細に示す。
【００９７】
Ｓ４１５では、サービング基地局が、ＵＥの速さを分類する。たとえば、サービング基地局は、速さを低速、中速、および高速に分類する。一例として、低速は、４０ｋｍｐｈ未満とすることができ、中速は、４０〜６０ｋｍｐｈとすることができ、高速は、６０ｋｍｐｈ超とすることができる。
【００９８】
分類された速さおよびＨＯのタイプに基づいて、Ｓ４２０で、サービング基地局は、ＨＯしきい値を調整する。１つの例の実施形態では、高速ＵＥに関するＨＯしきい値は、小セルへのすべてのＨＯが阻止されるようになるようにセットされる。もう１つの例の実施形態では、高速ＵＥに関するＨＯしきい値は、よりすばやいＨＯをトリガするために減らされる。小セルへのＨＯを許可される低速ＵＥに関して、ＨＯしきい値は、増やされ、小セルへのＨＯを許容される中速ＵＥに関するＨＯしきい値および高速ＵＥに関するＨＯしきい値より相対的に大きくされる。ＨＯしきい値を、Ｏｃｎ、ＨＹＳ、Ｏｆｆ、またはその組合せとすることができる。
【００９９】
さらなる例の実施形態では、ＨＯしきい値は、ＵＥの速さに基づいてスケーリングされる。たとえば、ＨＯしきい値を、高速について．２５、中速について．７５、低速について１だけスケーリングすることができる。
【０１００】
戻って図４Ｂを参照すると、Ｓ４２５で、ＴＴＴが、速さ分類に基づいてサービング基地局によって調整される。例の実施形態では、高速ＵＥのＴＴＴは、より早いＨＯをトリガするために減らされる。小セルへのＨＯを許可される低速ＵＥに関して、ＴＴＴは、増やされ、相対的に中速ＵＥおよび高速ＵＥのＴＴＴより大きい。さらなる例の実施形態では、ＴＴＴは、ＵＥの速さに基づいてスケーリングされる。たとえば、ＴＴＴを、高速について．２５、中速について．７５、低速について１だけスケーリングすることができる。
【０１０１】
Ｓ４３０では、サービング基地局が、速さ分類およびＨＯのタイプに基づいてＫ値を調整する。上で述べたように、異なるＫ値は、経験的データに基づいて、それぞれ異なるハンドオーバ・タイプに関してネットワークによって判定される。例の実施形態では、高速ＵＥのＫ値が減らされる。小セルへのＨＯを許可される低速ＵＥに関して、Ｋ値は、増やされ、相対的に中速ＵＥおよび高速ＵＥのＫ値より大きい。
【０１０２】
言い替えると、より高速で移動するＵＥについて、より応答性のよいフィルタリングが、より高速のＨＯ判断をサポートするために実行される。より高いＵＥ速さは、より短いＬ１フィルタリング時間（Ｌ１からＬ３ヘの報告時間である）を使用する。より高いＵＥ速さは、Ｌ３フィルタのより小さいＫ値をも使用する。
【０１０３】
Ｓ４３５で、ＵＥは、調整されたＨＯしきい値、ＴＴＴ、およびＫ値に基づいて、ＨＯが進行すべきかどうかを判定する。より具体的には、ＲＳＲＰ（またはＲＳＲＱ）測定値がＨＯしきい値を超えた後に、ＵＥは、ＴＴＴをトリガし、ＵＥは、ＴＴＴを待った後に、ＴＴＴ満了がトリガされた後にサービング基地局に測定値レポートを送信する。ＵＥは、その後、Ｓ４４０で、ターゲット・セルからＨＯコマンドを受信する。
【０１０４】
サービング基地局が、ＨＯが不要であると判定する場合には、この方法は、Ｓ４０５に進む。サービング基地局が、ＨＯパラメータを調整しながらＨＯ状況を継続的に監視できることをも理解されたい。
【０１０５】
ＵＥ速さ依存ＨＯ構成変更は、１）ネットワークがＵＥ速さを検出し、速さに基づいて、ネットワークが、再構成ユニキャスト・メッセージをＵＥに送信することと、２）ＵＥが、それ自体の速さを推定し、推定結果に基づいて、それ自体でＨＯ構成パラメータを調整することとによって実現することができる。ユニキャスト・メッセージは、ＨＯパラメータの値を搬送することができる。ネットワークは、このアクティビティを助けるために関連情報をブロードキャストすることができる。この手法は、接続モードのＵＥだけではなく、アイドル・モードのＵＥにも使用することができる。
【０１０６】
ステップを、さまざまな順序で実施することができ、図４Ｂに示された順序に限定されないことを理解されたい。もう１つの例の実施形態では、サービング基地局は、速さおよび方向を含むＵＥの速度に基づいてＨＯ判断を行う。ＨＯパラメータを、図４Ｂに説明された形で調整できることを理解されたい。
【０１０７】
所与の時間期間のＵＥの複数の位置推定値を、ＵＥの速さおよび移動方向の推定に使用することができる。サービング基地局は、移動するＵＥの速さおよび相対角度に基づいてＨＯ判断を行う。たとえば、サービング基地局は、次を実施することができる。
（１）速さが非常に速い場合には、小セルにＨＯしない。
（２）速さが中間である場合には、角度がα（図３に示されている）以下である場合に小セルへのＨＯを許可する。そうでない場合には、ＨＯを許可しない。
（３）速さが遅い場合には、角度がβ（図３に示されている）以下である場合に小セルへのＨＯを許可する。そうでない場合には、ＨＯを許可しない。
【０１０８】
角度αおよびβを、経験的データに基づいて決定することができる。もう１つの例の実施形態では、ＵＥは、ＨＯのために隣接する小セルを検索するかどうかを判断する。たとえば、ＵＥは、ＨＯ判断に類似する次の論理に基づいて、隣接する小セルの測定を実行すべきかどうかを判断する。
（１）速さが非常に速い場合には、隣接する小セルの検索は不要である。
（２）速さが中間であり、角度がα以下である場合には、小セル測定を実行して、小セルを検索する。そうでない場合には、小セル測定を実行しない。
（３）速さが遅く、角度がβ以下である場合には、小セル測定を許可する。そうでない場合には、小セルの測定を実行しない。
【０１０９】
さらに、図４Ｂでは速さが分類されるが、ＨＯパラメータを、分類なしでＵＥの速さに基づいて調整できることを理解されたい。
【０１１０】
図５Ａ〜５Ｂに、例の実施形態による、ハンドオーバ障害の量を減らすためにAlmost Blank Sub-frame（ＡＢＳ）を使用する方法を示す。
【０１１１】
図５Ａに示されているように、マクロ・セル１０５１Ａは、セル境界Ｂ１０５を含み、小セル１２０Ａは、境界Ｂ１２０を含む。マクロ・セル１０５１Ａおよび小セル１２０Ａを、マクロ・セル１０５１および小セル１２０と同一とすることができることを理解されたい。したがって、図５Ａの議論は、前に議論されなかった特徴を議論する。
【０１１２】
マクロ・セル１０５１Ａと小セル１２０Ａとの間の境界は、カバレージ・エリアでの相対電力測定値に関する。あるカバレージ・エリアで、マクロ・セル１０５１Ａおよび小セル１２０Ａからの測定された電力が、同一であるか近い場合に、そのカバレージ・エリアは、２つのセルの境界にある。マクロ・セル１０５１Ａおよび小セル１２０Ａは、マクロ・セル１０５１Ａおよび小セル１２０Ａから受信された測定された電力に基づいて、境界Ｂ１２０を判定するようにＵＥを構成する。
【０１１３】
図５Ａ〜５Ｂの方法は、その内容全体が参照によって本明細書に組み込まれている、３ＧＰＰリリース８および９のInter-Cell Interference Coordination（ＩＣＩＣ）およびリリース１０のenhanced Inter-Cell Interference Coordination（ｅＩＣＩＣ）に記載されているセル間干渉制御を使用する。
【０１１４】
既知のように、ＩＣＩＣは、無線リソース管理（ＲＲＭ）法によってセル間干渉を減らす。ＩＣＩＣは、複数のセルからの情報（たとえば、リソース使用状況およびトラフィック負荷情況）を考慮に入れるマルチセルＲＲＭ機能である。
【０１１５】
ｅＩＣＩＣは、時間領域でＤＬ制御にＩＣＩＣを効果的に拡張するセル間干渉制御の機能強化である。これは、少なくともマクロｅＮｏｄｅＢとそのカバレージ内のより低電力のｅＮｏｄｅＢとの間の同期化を必要とする。ｅＩＣＩＣは、３ＧＰＰリリース８および９（Multicast Broadcasts on a Single Frequency Network）またはリリース１０Almost Blank Sub-frame（ＡＢＳ）によって実現される。
【０１１６】
１つの例の実施形態では、マクロ・セルｅＮｏｄｅＢ（１１０１）は、ＭＢＳＦＮを使用して、マクロ・セルの干渉管理および小セル・モビリティを提供する。マクロ・セルｅＮｏｄｅＢは、operations and managementによって構成されるブランクに近いサブフレーム（near-blank sub-frame）で「ミュートする」ことによって、強い干渉を減らす。ＯＡＭの使用は既知であり、したがって、簡潔さのために説明しない。
【０１１７】
小セル（１２０）は、どのマクロ・サブフレームがブランクに近いのかを知り、境界内のＵＥについてこれらのサブフレーム内で送信する。
【０１１８】
たとえば周波数分割複信（ＦＤＤ）の、無線フレーム構成では、サブフレーム１、２、３、６、７、８が、ＭＢＳＦＮに使用可能である。ＭＢＳＦＮ（ブランクに近いサブフレームに関する）は、ダウンリンク干渉を減らす。
【０１１９】
ｅＩＣＩＣのＭＢＳＦＮは、ダウンリンク・レイヤ２スケジューラだけに影響する。レイヤ２ダウンリンク・スケジューラは、ミュートされ、レイヤ２は、ＭＢＳＦＮサブフレームの構成を保証する。
【０１２０】
２タイプのＡＢＳサブフレームすなわち、ＭＢＳＦＮ  ＡＢＳ（リリース８および９の）サブフレームおよび非ＭＢＳＦＮ  ＡＢＳサブフレーム（リリース１０以降で使用可能）がある。ＭＢＳＦＮサブフレームでは、データだけが、送信されない（制御信号全体は送信される）。非ＭＢＳＦＮサブフレームでは、制御は、最初のサブフレーム上でのみ送信される。ブランキング情報は、マクロ・セルと小セルとの間でＸ２を介して共有される。
【０１２１】
ネットワークは、どのサブフレームを何個ブランキングしなければならないのかを判断する。サブフレームのブランキングは、それが搬送する制御情報に基づいて判定される。ネットワークは、アンブレラ（ｕｍｂｒｅｌｌａ）マクロ・セルのＡＢＳパターンを小セルに通知する。この情報は、その小セルによってカバーされるＵＥに配送される。一般に、これらは、ｅＩＣＩＣおよび既知の技術の詳細である。
【０１２２】
図５Ｂ〜５Ｃに、ＡＢＳを使用する方法を示す。
【０１２３】
図５Ｂに示されているように、８つのサブフレームが示されている。ＡＢＳは、マクロ・セル内で作成され、マクロ・セルは、データ伝送にＡＢＳを使用しない。図５Ｂでは、マクロ・セルは、データ伝送にサブフレーム１、２、４、５、７、および８を使用する。ＡＢＳは、サブフレーム３および６に配置される。基地局（ｅＮｏｄｅＢ）スケジューラは、小セルおよびマクロ・セルに関係するカバレージ・エリアの周囲のＵＥの負荷およびモビリティに基づいてＡＢＳを判断する。パイロットおよびブロードキャスト信号だけが、ＡＢＳ中にマクロ・セルによって送信される。
【０１２４】
図５Ｃに示されているように、アンテナ１２５は、マクロ・セルのＡＢＳ中にそのセル境界モバイルをスケジューリングする。より具体的には、アンテナ１２５は、ＡＢＳ中に境界Ｂ１２０内のＵＥに情報を送信する。アンテナ１２５は、ＵＥからのＨＯ測定レポートまたはＣＱＩレポートに基づいて、ＵＥが境界Ｂ１２０内にあることを知ることができる。アンテナ１２５は、ＵＥが境界Ｂ１２０にあるかどうか、およびそのＵＥをマクロ・セルにハンドオーバしなければならないかどうかを知る。さらに、ＵＥが小セルにハンドオーバされたばかりである場合に、そのＵＥは、小セルのエッジにある。小セルは、ＵＬ受信信号強度、ＵＬ  ＣＱＩ、またはＤＬ  ＣＱＩなどの情報を使用して、ＵＥがまだ境界にあるかどうかを判断することができる。ＡＢＳ中に境界ＵＥへの送信をスケジューリングすることによって、小セルは、マクロ・セルからの干渉を減らし、ＵＥは、ＲＬＦを経験しないものとすることができる。
【０１２５】
上で説明したように、マクロ・セル・サブフレーム・ブランキングは、マクロ／小セル干渉を軽減する。
【０１２６】
もう１つの例の実施形態では、小セルは、アンブレラ・マクロのブランキングされたサブフレーム内で境界のＵＥに送信し、すべてのサブフレーム内で他のセル内ＵＥに送信する。
【０１２７】
図６Ａ〜６Ｂに、ハンドオーバの量を減らすためにAlmost Blank Sub-frame（ＡＢＳ）を使用する方法のもう１つの例の実施形態を示す。図６Ａ〜６Ｂの方法は、低速ＵＥおよび中速ＵＥの高速のハンドインおよびハンドアウトを達成し、高速ユーザをマクロ・セル上に保つ。サービング基地局は、図４Ａ〜４Ｂで説明したように、ＵＥの速さを判定し、ＵＥの速さを分類するように構成される。
【０１２８】
図６Ａ〜６Ｂの方法では、サービング基地局は、小セルでブランキングされる干渉のないマクロ・セル・サブフレーム上で高速ユーザをスケジューリングすることによって、高速ＵＥをマクロ・セル上に保つ。図６Ｂに示されているように、小セルは、サブフレーム９内にＡＢＳを有する。したがって、マクロ・セルは、サブフレーム９中に高速ＵＥの送信をスケジューリングする。小セルのＡＢＳパターンは、Ｘ２によってマクロ・セルにも配送される。
【０１２９】
基地局スケジューラは、干渉のないサブフレーム（小セルのＡＢＳサブフレーム）対残りのフレーム上のＵＥによって報告されたchannel quality indicator（ＣＱＩ）の観察された差に頼ることもできる。基地局スケジューラが、すべてのサブフレームのＣＱＩ値を得る場合に、スケジューラは、どのサブフレームが、ＣＱＩ値が小セルのブランキングされるサブフレーム内でより高いので小セル内でブランキングされるのかを判定することができる。
【０１３０】
中速および低速のＵＥに関して、マクロ・セルは、測定をスケジューリングし、干渉のないサブフレーム、すなわち、メトロ・セルのalmost blank sub-frameに対応するサブフレームを介してＲＲＣハンドオーバ・コマンドを送信する。
【０１３１】
マクロ・セルでのＵＥの信号対干渉雑音比（ＳＩＮＲ）は、ＵＥがＡＢＳサブフレーム内でマクロ・セルと通信し、ＲＬＦを経験しない可能性があるので、小セル・カバレージ・エリアの範囲内で許容可能である。
【０１３２】
もう１つの例の実施形態は、小セルへのＵＥの早期ハンドインまたはハンドオーバと、小セルからの晩期ハンドアウトとを開示する。マクロセル・サブフレーム・ブランキングは、小セルに向かうセル選択バイアスを用いて、ｅＩＣＩＣ動作でのＨＯ中に小セル干渉を減らす。小セルに向かうセル選択バイアスは、より大きい小セル・カバレージ・エリアをもたらす。その結果、小セルへの早期ハンドインおよび小セルからの晩期ハンドアウトが発生する。小セルへのＵＥの早期ハンドインまたはハンドオーバに関して、サービング基地局は、ターゲット小セル電力強度が、それでも、ハンドオーバの後に弱すぎると判定する。したがって、小セル基地局は、マクロ・セルからＵＥへの干渉を避けるために、マクロ・セルのＡＢＳでの送信をスケジューリングする。マクロから小へのＨＯに関して、早期ＨＯは、負ＨＯしきい値を用いて開始され、小からマクロへのＨＯに関して、正のＨＯしきい値が、晩期ＨＯを開始するはずである。マクロ・セルへのＵＥの晩期ハンドオーバまたはハンドアウトに関して、サービング小セル基地局は、ハンドオーバの直前に、大きい正のＨＯしきい値に起因して、その電力強度が弱すぎると判定する。したがって、小セルからマクロ・セルへハンドオーバするために、小セル基地局は、ＨＯを行う前に、マクロ・セルから小セル（サービング・セル）への干渉を避けるために、アンブレラ・マクロ・セルのＡＢＳで送信をスケジューリングする。
【０１３３】
図７Ａに、ＵＥ１１５の例の実施形態を示す。ＵＥ１１５が、図７Ａに示されていない特徴を含むことができ、図示された特徴に限定されてはならないことをも理解されたい。
【０１３４】
ＵＥ１１５は、小セル１２０に対する相対的な速さおよび方向の情報を判定し、小セル１２０にＨＯすべきかどうかを判定するように構成される。
【０１３５】
ＵＥ１１５は、たとえば、送信ユニット２１０、ＵＥ受信ユニット２２０、メモリ・ユニット２３０、処理ユニット２４０、およびデータ・バス２５０を含むことができる。
【０１３６】
送信ユニット２１０、ＵＥ受信ユニット２２０、メモリ・ユニット２３０、および処理ユニット２４０は、データ・バス２５０を使用してお互いへデータを送り、かつ／またはお互いからデータを受け取ることができる。送信ユニット２１０は、他の無線デバイス（たとえば、基地局）への１つまたは複数の無線接続を介して、たとえばデータ信号、制御信号、および信号強度／品質情報を含むアップリンク（逆方向リンク）上の無線信号を送信するハードウェアおよびすべての必要なソフトウェアを含むデバイスである。
【０１３７】
ＵＥ受信ユニット２２０は、他の無線デバイス（たとえば、基地局）からの１つまたは複数の無線接続を介して、たとえばデータ信号、制御信号、および信号強度／品質情報を含むダウンリンク（順方向リンク）上の無線信号を受信するハードウェアおよびすべての必要なソフトウェアを含むデバイスである。ＵＥ受信ユニット２２０は、サービング基地局１１０１およびアンテナ１２５から情報を受け取る。
【０１３８】
メモリ・ユニット２３０は、磁気ストレージ、フラッシュ・ストレージなどを含むデータを格納できる任意の記憶媒体とすることができる。
【０１３９】
処理ユニット２４０は、たとえば、入力データに基づいて特定の動作を実行するように構成され、またはコンピュータ可読コードに含まれる命令を実行することができる、マイクロプロセッサを含む、データを処理できる任意のデバイスとすることができる。処理ユニット２４０は、送信パラメータに基づいて受信パラメータを判定することができる。
【０１４０】
図７Ｂに、基地局１１０１の例の実施形態を示す。基地局１１０１が、図７Ｂに示されていない特徴を含むことができ、図示の特徴に限定されてはならないことを理解されたい。
【０１４１】
図７Ｂを参照すると、基地局１１０１は、たとえば、データ・バス２５９、送信ユニット２５２、受信ユニット２５４、メモリ・ユニット２５６、および処理ユニット２５８を含むことができる。
【０１４２】
送信ユニット２５２、受信ユニット２５４、メモリ・ユニット２５６、および処理ユニット２５８は、データ・バス２５９を使用して、お互いにデータを送り、かつ／またはお互いからデータを受け取ることができる。送信ユニット２５２は、無線通信ネットワーク１００内の他のネットワーク要素への１つまたは複数の無線接続を介して、たとえばデータ信号、制御信号、および信号強度／品質情報を含む無線信号を送信するハードウェアおよびすべての必要なソフトウェアを含むデバイスである。受信ユニット２５４は、無線通信ネットワーク１００内の他のネットワーク要素への１つまたは複数の無線接続を介して、たとえばデータ信号、制御信号、および信号強度／品質情報を含む無線信号を受信するハードウェアおよびすべての必要なソフトウェアを含むデバイスである。
【０１４３】
メモリ・ユニット２５６は、磁気ストレージ、フラッシュ・ストレージなどを含むデータを格納できる任意の記憶媒体とすることができる。
【０１４４】
処理ユニット２５８は、たとえば、入力データに基づいて特定の動作を実行するように構成され、またはコンピュータ可読コードに含まれる命令を実行することができる、マイクロプロセッサを含む、データを処理できる任意のデバイスとすることができる。
【０１４５】
たとえば、処理ユニット２５８は、上で説明したように、ＵＥの速さを判定し、ＵＥの速さに基づいてサービング基地局から第２基地局へのＨＯを制御することができる。さらに、処理ユニット２５８は、ターゲット・セルに対する相対的なＵＥの速度に基づいて、サービング・マクロ・セルからターゲット小セルへのハンドオーバに関するハンドオーバ測定を実行するように構成される。
【０１４６】
例の実施形態をこのように説明したので、これを多数の形で変更できることは明白である。そのような変形形態は、例の実施形態の趣旨および範囲からの逸脱と考えられてはならず、当業者に明白であるはずのすべてのそのような変更は、特許請求の範囲の範囲に含まれることが意図されている。
【図１】
2014525199.tif 000003
【図２】
2014525199.tif 000004
【図３】
2014525199.tif 000005
【図４Ａ】
2014525199.tif 000006
【図４Ｂ】
2014525199.tif 000007
【図５Ａ】
2014525199.tif 000008
【図５Ｂ】
2014525199.tif 000009
【図５Ｃ】
2014525199.tif 000010
【図６Ａ】
2014525199.tif 000011
【図６Ｂ】
2014525199.tif 000012
【図７Ａ】
2014525199.tif 000013
【図７Ｂ】
2014525199.tif 000014
【国際調査報告】
2014525199.tif 000015
2014525199.tif 000016